(57)【要約】【課題】  本発明は魚釣用電動リールに関し、スプールやスプールモータが取り付く枠体の補強を図ると共に、スプールモータへのリード線の接続が簡単に行え、製造コストの低減を図った魚釣用電動リールを提供することを目的とする。【解決手段】  リール本体の枠体の左右の側枠に取り付く側板間にスプールを回転自在に支持し、当該スプールを巻取り駆動するスプールモータを、スプール前方の側枠間に設けたモータ収容部に収容した魚釣用電動リールに於て、上記モータ収容部を左右の側枠間に一体成形すると共に、当該モータ収容部の周壁に、左右の側枠に開口するリード線収容孔を設け、当該リード線収容孔に、スプールモータに接続されるリード線を挿通させたことを特徴とする。【選択図】    図２
2005143445.tif 000002
【特許請求の範囲】
【請求項１】
リール本体の枠体の左右の側枠に取り付く側板間にスプールを回転自在に支持し、当該スプールを巻取り駆動するスプールモータを、スプール前方の側枠間に設けたモータ収容部に収容した魚釣用電動リールに於て、
上記モータ収容部を左右の側枠間に一体成形すると共に、当該モータ収容部の周壁に、左右の側枠に開口するリード線収容孔を設け、当該リード線収容孔に、スプールモータに接続するリード線を挿通させたことを特徴とする魚釣用電動リール。
【請求項２】
モータ収容部の周壁に、リール本体底部の脚部方向へ突出する厚肉部を左右の側枠間に設け、当該厚肉部に、両側枠に開口するリード線収容孔を設けたことを特徴とする請求項１に記載の魚釣用電動リール。
【発明の詳細な説明】
【技術分野】
【０００１】
本発明は、リール本体に回転自在に支持されたスプールを巻取り駆動するスプールモータを備えた魚釣用電動リールに関する。
【背景技術】
【０００２】
船釣り等、一般に深場の魚層を対象とした魚釣りを行う場合、魚釣用電動リール（以下、「電動リール」という）が広く使用されている。
従来周知のようにこの電動リールは、スプールモータの駆動でスプールを回転させて釣糸の巻取りを行うもので、リール本体の反ハンドル側の側板底部に設けた給電接続部にコネクタを介して給電コードが接続され、この給電コードをバッテリ等の電源に接続することでスプールモータ等に給電される。
【０００３】
そして、スプールモータやその他の電装部品は側板内部やリール本体の枠体（フレーム）に装着され、これらを電気的に接続する多くのリード線等が側板から枠体に亘って長く配線されている。
図５及び図６は特許文献１に開示された電動リールを示し、図中、１はリール本体３の枠体、５，７は当該枠体１の左右の側枠９，１１に取り付く側板で、両側板５，７間にスプール軸を介してスプール１３が回転自在に支持されている。
【０００４】
而して、スプール１３は、スプールモータ１５の駆動やハンドル１７の巻取り操作で回転して釣糸が巻回されるようになっており、スプールモータ１５は、スプール１３前方の側枠９，１１間に挿着された筒状のモータケース（モータ収容部）１９内に収容されている。
また、リール本体３の反ハンドル側の側板５の底部に給電接続部２１が装着されており、当該給電接続部２１から延びる２本のリード線２３，２５が、夫々、他方の側板７へ配線されてスプールモータ１５の端子２７，２９に接続されているが、両側枠９，１１の下部、即ち、スプール１３とスプールモータ１５との間で、リール本体３下部の脚部３１の近傍の両側枠９，１１に透孔３３，３５が設けられている。
【０００５】
そして、両透孔３３，３５を挿通して両側枠９，１１間に筒体３７が挿着されており、図示するように給電接続部２１から延びる２本のリード線２３，２５が、筒体３７を挿通して他方の側板７側に配線されている。
【特許文献１】特開２００１−１７０４７号公報
【発明の開示】
【発明が解決しようとする課題】
【０００６】
特許文献１に開示された電動リール３９は上述の如く構成されているが、実釣時の釣糸巻取り操作による強い負荷が脚部３１とその近傍に集中して加わり、また、誤って電動リール３９を落下させた際には、落下の衝撃によって大きな外力が脚部３１の近傍に集中して加わるため、脚部３１近傍の枠体１が斯かる強負荷や外力で変形してしまう虞があった。
【０００７】
しかし、斯様に脚部３１近傍の枠体１が変形してしまうと、動力伝達機構を介してスプール１３に動力を伝達するスプールモータ１５とスプール１３との寸法誤差を高精度に維持できず、長期に亘る使用によって異音が発生したり摩耗が促進してしまう等の不具合が生じ易い。
また、既述したように上記電動リール３９は、製造に当たり両側枠９，１１に透孔３３，３５を加工し、筒体３７を当該透孔３３，３５間に挿着した後にリード線２３，２５を挿通させて組み立てる構造上、工数が多くて作業性が悪く、製造コストが高くついてしまう等の欠点も指摘されていた。
【０００８】
本発明は斯かる実情に鑑み案出されたもので、スプールやスプールモータが取り付く枠体の補強を図ると共に、スプールモータへのリード線の接続が簡単に行え、製造コストの低減を図った電動リールを提供することを目的とする。
【課題を解決するための手段】
【０００９】
斯かる目的を達成するため、請求項１に係る発明は、リール本体の枠体の左右の側枠に取り付く側板間にスプールを回転自在に支持し、当該スプールを巻取り駆動するスプールモータを、スプール前方の側枠間に設けたモータ収容部に収容した電動リールに於て、上記モータ収容部を左右の側枠間に一体成形すると共に、当該モータ収容部の周壁に、左右の側枠に開口するリード線収容孔を設け、当該リード線収容孔に、スプールモータに接続するリード線を挿通させたことを特徴とする。
【００１０】
そして、請求項２に係る発明は、請求項１に記載の電動リールに於て、モータ収容部の周壁に、リール本体底部の脚部方向へ突出する厚肉部を左右の側枠間に設け、当該厚肉部に、両側枠に開口するリード線収容孔を設けたことを特徴とする。
【発明の効果】
【００１１】
請求項１に係る発明によれば、電動リールの製造に当たり、一方の側板側からリード線をリード線収容孔に挿通させることでリード線が他方の側板側へ案内されることとなる。
従って、本発明によれば、枠体の左右に取り付く側板間にリード線を配線させるに当たり、従来の如く別部材を用いる必要がなく、スプールモータへのリード線の配線が簡単に行え、作業性が向上して製造コストを低減できる利点を有する。
【００１２】
そして、請求項２に係る発明によれば、側枠間にモータ収容部を一体成形すると共に、その周壁に、リール本体底部の脚部方向へ突出する厚肉部を左右の側枠間に設け、当該厚肉部に両側枠に開口するリード線収容孔を設けたので、請求項１に係る発明に係る発明と同様、スプールモータへのリード線の配線が簡単に行えることは勿論、モータ収容部とその厚肉部が脚部近傍の枠体を補強して、強負荷や外力による枠体の変形を防止することとなる。
【００１３】
従って、本発明によれば、スプールモータとスプールとの寸法誤差を高精度に維持することが可能となる利点を有する。
【発明を実施するための最良の形態】
【００１４】
以下、本発明の実施形態を図面に基づいて詳細に説明する。
図１乃至図４は請求項１及び請求項２の一実施形態に係る魚釣用リールを示し、図１に於て、４１はリール本体４３の枠体、４５，４７は当該枠体４１の左右の側枠４９，５１に取り付く側板で、両側板４５，４７間にスプール軸を介してスプール５３が回転可能に支持されている。
【００１５】
スプール５３は、スプールモータ５５の駆動やハンドル５７の巻取り操作で回転して釣糸が巻回されるようになっており、図２乃至図４に示すようにスプールモータ５５は、スプール５３前方の側枠４９，５１間に一体成形された略筒状のモータケース（モータ収容部）５９内に収容されている。
そして、スプールモータ５５の左モータ軸とスプール軸との間に、遊星歯車とこれに噛合する太陽歯車や内歯歯車等からなる遊星減速機構６１と、駆動ベルト６３を用いた動力伝達機構６５が順次装着されており、これらの遊星減速機構６１と動力伝達機構６５を介してスプールモータ５５の駆動力がスプール軸に伝達されるようになっている。
【００１６】
更に、スプール軸はスプール５３の中央を貫通してその他端側が側板４７内に突出し、その突出端にスプール軸の回転力をスプール５３に伝達する動力伝達機構６７や、スプール５３を釣糸巻取り状態（クラッチＯＮ）とスプールフリー状態（クラッチＯＦＦ）とに切り換えるクラッチ機構６９が装着されている。
そして、スプール５３後方の側板４５，４７間にはクラッチレバー７１が上下方向へ操作可能に取り付けられており、当該クラッチレバー７１の操作でクラッチ機構６９がＯＮ／ＯＦＦに切り換わって、スプール５３へのスプールモータ５５やハンドル５７の駆動力が伝達／遮断されるようになっている。
【００１７】
而して、スプールモータ５５は、側板４７の上部前方に装着したレバー形状のモータ出力調節体（以下、「パワーレバー」という）７３や、後述する寸動スイッチ７５の操作で駆動するように構成されており、パワーレバー７３はハンドル５７と同方向へ回転操作可能に取り付けられている。そして、図１及び図２に示すようにリール本体４３の上部には、マイクロコンピュータとその他の電子機器からなる制御回路等が収容された制御ケース７７が側板４５，４７間に設けられており、パワーレバー７３の操作で、マイクロコンピュータがスプールモータ５５のモータ出力をモータ停止状態から最大値（０〜１００％）まで連続的に増減して、スプール５３の巻取り速度を制御するようになっている。
【００１８】
また、制御ケース７７上部の操作パネル７９上には、マイクロコンピュータに接続された寸動スイッチ７５が装着されており、当該寸動スイッチ７５の操作でスプールモータ５５が駆動して微妙な棚位置調整やシャクリ操作ができるようになっている。
そして、図１乃至図３に示すように反ハンドル側の側板４５の下部に突設された突出部８１の先端に給電接続部８３が装着されており、従来と同様、当該給電接続部８３にコネクタを介して給電コードが接続され、この給電コードをバッテリ等の電源に接続することでスプールモータ５５等に給電されるが、図４に示すようにモータケース５９の周壁には、リール本体４３（枠体４１）底部の脚部８５方向へ突出する厚肉部８７が、両側枠４９，５１間に亘って設けられている。そして、図２及び図３に示すように当該厚肉部８７に、左右の側枠４９，５１に開口するリード線収容孔８９がスプールモータ５５に沿って設けられており、給電接続部２１から延びる２本のリード線９１，９３が、当該リード線収容孔８９を挿通して他方の側板４７側へ案内されている。そして、斯様に側板４７側へ案内されたリード線９１，９３は、夫々、図２に示すようにモータケース５９の蓋体９５を水密性を以って挿通して、スプールモータ５５の端子９７，９９に接続されている。
【００１９】
本実施形態に係る電動リール１０１はこのように構成されているから、電動リール１０１の製造に当たり、一方の側板４５側の給電接続部８３から延びる２本のリード線９１，９３をリード線収容孔８９に挿通させることで、リード線９１，９３が他方の側板４７側へ案内されることとなる。
また、実釣時に当たり、給電接続部８３にコネクタを介して給電コードを接続し、給電コードをバッテリ等の電源に接続することでスプールモータ５５等に給電される。そして、クラッチレバー７１のクラッチＯＦＦ操作で釣糸がスプール５３から繰り出され、また、パワーレバー７３によるスプールモータ５５の巻取り駆動やハンドル５７の巻取り操作でスプール５３に釣糸が巻回され、更に寸動スイッチ７５の操作で微妙な棚位置調整やシャクリ操作が行われることとなる。
【００２０】
そして、実釣時の釣糸巻取り操作時に、釣竿に取り付く電動リール１０１の脚部８５とその近傍に魚の引きによる強い負荷が加わり、また、誤って電動リール１０１を落下させた際の外力が脚部８５とその近傍に加わるが、既述したように本実施形態は、側枠４９，５１間にモータケース５９を一体成形すると共に、モータケース５９の周壁に、リール本体４３底部の脚部８５方向へ突出する厚肉部８７を設けているので、モータケース５９とその厚肉部８７が脚部８５近傍の枠体４１を補強して、強負荷や外力による枠体４１の変形を防止することとなる。
【００２１】
従って、本実施形態によれば、図５以下の電動リール３９に比し側枠４９，５１に透孔を加工してこれらの間にリード線を挿通させる筒体を挿着する必要がなく、スプールモータ５５へのリード線９１，９３の配線が簡単に行え、作業性が向上して製造コストを低減できることとなる。
而も、既述したように側枠４９，５１間に一体成形したモータケース５９とその厚肉部８７が、脚部８５近傍の枠体４１を補強して強負荷や外力による枠体４１の変形を防止するため、スプールモータ５５とスプール５３との寸法誤差を高精度に維持することが可能となって、上記従来例の不具合発生を防止できることとなった。
【図面の簡単な説明】
【００２２】
【図１】請求項１及び請求項２の一実施形態に係る電動リールの平面図である。
【図２】側板を取り外した図１の電動リールの側面図である。
【図３】図１の電動リールの底面図である。
【図４】図３のIV−IV線断面図である。
【図５】従来の電動リールの要部切欠き背面図である。
【図６】図５の電動リールの要部拡大断面図である。
【符号の説明】
【００２３】
４１  枠体
４３  リール本体
４５，４７  側板
４９，５１  側枠
５３  スプール
５５  スプールモータ
５７  ハンドル
５９  モータケース
６１  遊星減速機構
６５，６７  動力伝達機構
６９  クラッチ機構
７１  クラッチレバー
７３  パワーレバー
７５  寸動スイッチ
７７  制御ケース
７９  操作パネル
８３  給電接続部
８５  脚部
８７  厚肉部
８９  リード線収容孔
９１，９３  リード線
９５  蓋体
９７，９９  端子
１０１  電動リール
【図１】
2005143445.tif 000003
【図２】
2005143445.tif 000004
【図３】
2005143445.tif 000005
【図４】
2005143445.tif 000006
【図５】
2005143445.tif 000007
【図６】
2005143445.tif 000008